(57)【要約】【課題】  使用時にはばらばらになり難く、且つ未使用時にはかさばらない組立式仕切り板を提供する。【解決手段】  短冊状の縦方向と横方向の仕切り板２，３を同一幅にし、これら仕切り板２，３の各長手方向の左右の縁より交互に所定の間隔で垂直にスリット４を設けると共に、これらのスリット４の先端部に円形孔５を開け、縦方向と横方向の仕切り板２，３のスリット４を交互に交差させて組み立て、仕切り枠６を形成する。スリット４の幅は仕切り板２，３の板厚より大き目とし、円形孔５の直径は仕切り板２，３の板厚の１〜３倍が好ましい。【選択図】        図１
2009262937.tif 000002
【特許請求の範囲】
【請求項１】
縦方向と横方向の仕切り板を同一幅にし、これら仕切り板の各長手方向の左右の縁より交互に所定の間隔で垂直にスリットを設けると共に、これらのスリットの先端部に円形孔を開け、縦方向と横方向の仕切り板のスリットを交互に交差させて組み立て、仕切り枠を形成することを特徴とする組立式仕切り板。
【請求項２】
請求項１に記載の組立式仕切り板において、前記スリットの幅は前記仕切り板の板厚より大き目とし、前記円形孔の直径は前記仕切り板の板厚の１〜３倍とすることを特徴とする組立式仕切り板。
【請求項３】
請求項１又は２に記載の組立式仕切り板において、未使用時には前記仕切り板を倒して平面形状に折り畳んで、且つスライドさせて板形状にすることを特徴とする組立式仕切り板。
【請求項４】
請求項１、２又は３の何れかに記載の組立式仕切り板において、前記仕切り板の端末部に所定長さの耳部を設けることを特徴とする組立式仕切り板。
【発明の詳細な説明】
【技術分野】
【０００１】
本発明は、縦方向の仕切り板と横方向の仕切り板を用いて仕切り枠を形成する組立式仕切り板に関する。
【背景技術】
【０００２】
従来の組立式仕切り板１００としては、使用時には、図６（ａ）に示すように、縦仕切り板１０１と横仕切り板１０２の長手方向のいずれか一方の縁に設けたスリット同士を噛み合わせて縦仕切り板１０１と横仕切り板１０２を格子状に組み立てて矩形の仕切り枠１０３を形成し、使用後には、図６（ｂ）に示すように、折り畳んだ状態にして収納するものが知られている。
【０００３】
また、特許文献１に開示される仕切り板には、縦仕切り板の上下縁に平行な中央線を挟んだそれぞれの側に、中央部に向かって中央線と直交する方向に、上下で一組のスリットを設け、また横仕切り板には、上下縁に平行な中央線と直交する位置に、縦仕切り板の上下のスリット間に形成した非切抜き部分に相当する長さの脱落防止ロック溝を設けると共に、このロック溝の一側に連続する切欠孔を設け、且つこの切欠孔の上部と横仕切り板の上縁とにまたがるように斜め方向に切り目を設けて舌片を形成し、横仕切り板の脱落防止ロック溝に縦仕切り板の下スリットを係合させると共に、縦仕切り板の上スリットに舌片を挿入して、縦仕切り板と横仕切り板を互いに交差させるものが知られている。
【０００４】
【特許文献１】特開２００４−４２９１９号公報
【発明の開示】
【発明が解決しようとする課題】
【０００５】
しかし、従来の組立式仕切り板においては、未使用時に分解せずに組み立てられた状態にしておくと、かさばって場所をとってしまうという問題がある。また、折り畳むことは可能であるが、円滑に折り畳むことができず、折り畳んでもある程度の厚みがあり所望な状態で収納することができない。
【０００６】
本発明は、従来の技術が有するこのような問題点に鑑みてなされたものであり、その目的とするところは、使用時にはばらばらになり難く、且つ未使用時にはかさばらない組立式仕切り板を提供しようとするものである。
【課題を解決するための手段】
【０００７】
上記課題を解決すべく請求項１に係る発明は、縦方向と横方向の仕切り板を同一幅にし、これら仕切り板の各長手方向の左右の縁より交互に所定の間隔で垂直にスリットを設け、これらのスリットの先端部に円形孔を開け、縦方向と横方向の仕切り板のスリットを交互に交差させて組み立て、仕切り枠を形成する構成とした。
【０００８】
請求項２に係る発明は、請求項１記載の組立式仕切り板において、前記スリットの幅は前記仕切り板の板厚より大き目とし、前記円形孔の直径は前記仕切り板の板厚の１〜３倍とした。
【０００９】
請求項３に係る発明は、請求項１又は２記載の組立式仕切り板において、未使用時には前記仕切り板を倒して平面形状に折り畳んで、且つスライドさせて板形状にした。
【００１０】
請求項４に係る発明は、請求項１、２又は３記載の組立式仕切り板において、前記仕切り板の端末部に所定長さの耳部を設ける構成とした。
【発明の効果】
【００１１】
請求項１に係る発明によれば、縦方向と横方向の仕切り板のスリットを交互に交差させて組み立てているので、縦方向仕切り板と横方向仕切り板がばらばらになり難い。また、スリットの先端部に円形孔を設けているので、折り畳み易く使用時の立体形状から未使用時の平面形状へ容易に変更することができる。
【００１２】
請求項２に係る発明によれば、縦方向と横方向の仕切り板の回転動作がやり易く、組み立て時間及び折り畳み時間の短縮が図れる。
【００１３】
請求項３に係る発明によれば、未使用時にコンパクト化が図れるので、収納場所を削減することができる。
【００１４】
請求項４に係る発明によれば、仕切り板の端末部に耳部を設けることにより、段積みした時に仕切り板が変形するのを防止することができる。また、仕切り板の端末部に所定長さの耳部を設けることにより、スリットの影響で仕切り板の端末部が切り取られることもない。
【発明を実施するための最良の形態】
【００１５】
以下に本発明の実施の形態を添付図面に基づいて説明する。ここで、図１は本発明に係る組立式仕切り板の使用時の平面図、図２は仕切り板の平面図、図３は組立式仕切り板の未使用時の要部拡大図、図４は組立式仕切り板の未使用時の状態を示す図である。
【００１６】
本発明に係る組立式仕切り板１は、図１及び図２に示すように、短冊状で同一幅にした縦方向仕切り板２と横方向仕切り板３を交互に交差させて組み立てたものである。縦方向仕切り板２と横方向仕切り板３は、夫々の長手方向の左右の縁より交互に所定の間隔で垂直にスリット４が設けられると共に、これらのスリット４の先端部にＲ形状を形成するため円形孔５が開けられている。
【００１７】
そして、縦方向仕切り板２のスリット４と横方向仕切り板３のスリット４を交互に交差させて組み立てる。すると、縦方向仕切り板２と横方向仕切り板３が夫々４枚の場合には、仕切り枠６が９個形成される。また、仕切り板２，３の各端末部には所定長さの耳部７が設けられ、これらの耳部７が組立式仕切り板１の外枠を構成する。仕切り枠６の大きさ、個数や形状により、縦方向仕切り板２と横方向仕切り板３の長さ、スリット４の間隔が設定される。
【００１８】
仕切り板２，３の材質としては、柔軟性や耐久性の見地からパロニア材（ポリプロピレン発泡材）が好ましい。縦方向仕切り板２と横方向仕切り板３の色は、同一色でもよいが、組み立て易さのため、異なる色にすることができる。例えば、縦方向仕切り板２が水色、横方向仕切り板３が灰色である。また、組立式仕切り板１の仕切り枠６に車両の小物部品を収納して使用する場合などには、小物部品を組み付ける車両の機種に応じて仕切り板２，３の色を変えることもできる。
【００１９】
スリット４の深さは、仕切り板２，３の幅の半分位とする。また、スリット４の幅Ｗは、仕切り板２，３の板厚より大き目とし、円形孔５の直径Ｄは、仕切り板２，３の回転動作を行い易くするため、仕切り板２，３の板厚の１〜３倍とするのが好ましい。
【００２０】
以上のように構成された本発明に係る組立式仕切り板１の動作について説明する。図１に示すように、縦方向仕切り板２のスリット４と横方向仕切り板３のスリット４を交互に交差させて組み立てて組立式仕切り板１を作製する。この際、図３に示すように、各スリット４の先端部にＲ形状を形成する円形孔５が設けられているので、仕切り板２，３は互いに回転動作がし易く、組み立てが容易にできる。
【００２１】
次いで、車両に組み付ける小物部品（不図示）をラインサイドまでパレットで搬送する場合には、パレットの底面に敷板（不図示）を敷いた後に組立式仕切り板１を敷板に載置し、組立式仕切り板１の仕切り枠６に小物部品を収納する。更に、組立式仕切り板１の上に敷板を敷いた後に組立式仕切り板１を敷板に載置し、組立式仕切り板１の仕切り枠６に小物部品を収納する。このように、組立式仕切り板１はパレットに段積みされる。
【００２２】
小物部品を仕切り枠６に収納した組立式仕切り板１は、パレットに段積みされた状態でラインサイドまで搬送される。ラインサイドでは、組立式仕切り板１に収納されている小物部品が順次搬送されてくる車両に組み付けられる。そして、空になった組立式仕切り板１には、図３に示すように、各スリット４の先端部にＲ形状を形成する円形孔５が設けられているので、各仕切り板２，３は簡単に折り畳め且つ互いに外れ難くい。
【００２３】
そして、図４に示すように、組立式仕切り板１を敷板のサイズとほぼ同じ矩形の平面形状にすることができる。このように、矩形の平面形状にされた組立式仕切り板１は、かさばらず、組立式仕切り板１を載置していた敷板と共にパレットに段積みされて回収され、小物部品を組立式仕切り板１に収納する工程に戻される。そして、組立式仕切り板１は、平面形状から使用状態の立体形状に変更され再利用される。
【００２４】
また、空になった組立式仕切り板１は、図４に示すような平面形状にする他に、図５（ａ）に示すように、仕切り板２，３を単に折り畳んで板形状にすることもできるし、図５（ｂ）に示すように、仕切り板２，３を横スライドさせて板形状にすることもできる。
【産業上の利用可能性】
【００２５】
本発明によれば、縦方向仕切り板と横方向仕切り板がばらばらになり難く、また使用時の立体形状から未使用時の平面形状へ容易に変更することができ、更に再利用が円滑に行える組立式仕切り板が提供される。
【図面の簡単な説明】
【００２６】
【図１】本発明に係る組立式仕切り板の使用時の平面図
【図２】仕切り板の平面図で、（ａ）は縦方向仕切り板、（ｂ）は横方向仕切り板
【図３】組立式仕切り板の未使用時の要部拡大図
【図４】組立式仕切り板の未使用時の状態を示す平面図
【図５】組立式仕切り板の未使用時のその他の状態を示す平面図で、（ａ）は折り畳み状態、（ｂ）は組み立て状態
【図６】従来の組立式仕切り板を示し、（ａ）は使用時の平面図、（ｂ）は未使用時の折り畳み状態の平面図
【符号の説明】
【００２７】
１…組立式仕切り板、２…縦方向仕切り板、３…横方向仕切り板、４…スリット、５…円形孔、６…仕切り枠、７…耳部。
【図１】
2009262937.tif 000003
【図２】
2009262937.tif 000004
【図３】
2009262937.tif 000005
【図４】
2009262937.tif 000006
【図５】
2009262937.tif 000007
【図６】
2009262937.tif 000008